(57)【特許請求の範囲】
【請求項１】
枠体と、この枠体にスライド開閉自在に支持された面材と、この面材を閉じさせる自閉装置とを備え、浴室出入り口に設けられる建具であって、
前記枠体は、上枠、下枠、および左右の縦枠を四周枠組みして形成され、
前記面材は、前記上枠のレールに摺動片が案内されるとともに、前記下枠のレールに戸車が案内されて左右スライド開閉自在に構成され、
前記自閉装置は、前記枠体および面材のいずれか一方に設けられた自閉装置本体部と、この自閉装置本体部に係脱可能に当該枠体および面材の他方に設けられた被係合部とを有して構成され、
前記上枠には、前記レールよりも浴室側に中空部が形成され、この中空部に前記自閉装置本体部が設けられ、前記面材の上端部に前記被係合部が設けられ、
前記自閉装置本体部は、前記枠体または面材に沿った開閉方向にスライド移動自在に設けられたスライド体と、このスライド体を閉方向に向かって付勢する付勢手段とを有して構成され、
前記スライド体は、前記被係合部に係合可能な第１係合部と、この第１係合部よりも開方向前方側に設けられて前記被係合部に係合可能な第２係合部と、前記枠体または面材に係止される被係止部とを有して形成されるとともに、少なくとも前記第１係合部と前記被係合部とが係合しかつ前記面材を閉鎖した状態の閉鎖位置と、この閉鎖位置から開方向に向かって所定距離だけ離れた待機位置との間をスライド移動可能に構成され、
前記スライド体の待機位置に対応した前記枠体および面材の一方には、当該スライド体の前記被係止部を係止する待機係止部が設けられ、
前記レールと対向して前記上枠の中空部を形成する側壁には、前記自閉装置本体部のスライド体を案内する案内溝が形成されるとともに、この案内溝から前記レール側に突出して前記第１係合部および第２係合部が配置され、
前記案内溝における前記待機位置に対応した位置に当該案内溝を段付き状に拡大して前記待機係止部が形成され、
前記面材の開放操作時において、前記第１係合部と前記被係合部との係合により前記付勢手段の付勢力に抗して前記スライド体が開方向に移動され、前記待機位置まで移動された当該スライド体の前記被係止部が前記待機係止部に係止されるとともに、前記第１係合部と前記被係合部との係合が外れ、前記付勢手段の付勢力を受けずに前記面材の開放操作が継続され、
前記面材の閉鎖操作時において、前記待機位置にある前記スライド体の第１係合部に前記被係合部が係合するとともに、前記待機係止部による前記被係止部の係止が外れ、前記付勢手段の付勢力により閉方向に移動される前記スライド体に連動して前記面材が閉鎖され、
前記面材が開放された状態で前記スライド体が前記待機位置になく前記閉鎖位置側に移動した状態からの復帰操作時において、前記面材の閉鎖操作により前記被係合部が前記第２係合部に係合され、前記面材の開放操作に連動して前記スライド体が前記付勢手段の付勢力に抗して開方向に移動され、前記待機位置まで移動された当該スライド体の前記被係止部が前記待機係止部に係止され、これに続く前記面材の閉鎖操作により前記被係合部が前記第１係合部に係合され、前記スライド体に連動して前記面材が閉鎖される建具。
【請求項２】
前記自閉装置本体部のスライド体は、前記閉鎖位置を閉方向に超えた超過閉鎖位置まで前記付勢手段に付勢されてスライド移動可能に構成され、この閉鎖超過位置において、前記第２係合部が前記被係合部と係合可能に構成されている請求項１に記載の建具。
【請求項３】
前記待機位置にある状態において前記スライド体の第２係合部は、前記被係合部の通過軌道上から外れ、前記閉鎖位置側にある状態において前記第２係合部は、前記被係合部と係合可能に構成されている請求項１または請求項２に記載の建具。
【請求項４】
前記自閉装置本体部には、前記スライド体の移動速度を抑制する減衰手段が設けられている請求項１から請求項３のいずれかに記載の建具。
【請求項５】
前記上枠の中空部は、当該上枠に対して着脱可能な面材で形成され、この面材に前記自閉装置本体部が取り付けられている請求項１から請求項４のいずれかに記載の建具。
【請求項６】
前記自閉装置本体部には、前記スライド体の移動速度を抑制する減衰手段が設けられており、前記上枠の中空部を形成する各面のうち下方空間に露出した露出面部には、前記減衰手段を調節するための調節孔と、この調節孔を塞ぐ閉塞部材とが設けられいる請求項１から請求項５のいずれかに記載の建具。
【発明の詳細な説明】
【技術分野】
【０００１】
本発明は、建具に関し、詳しくは、枠体と、この枠体にスライド開閉自在に支持された面材と、この面材を閉じさせる自閉装置とを備えた建具に関する。
【背景技術】
【０００２】
従来、引き戸や引違い窓、片引き窓等の面材（戸、扉、障子）がスライド開閉自在に設けられた建具において、面材を自動的に閉じさせる自閉装置が提案されている（例えば、特許文献１参照）。特許文献１に記載された面材の自閉装置（牽引装置）は、面材（扉）から突出した係合ピンに係合する係合爪と、この係合爪を回動自在に支持する牽引金具と、この牽引金具を付勢する面材が閉じる方向に付勢するスプリングとを有して構成されている。そして、この牽引装置では、扉を開く際に一定位置で係合爪と係合ピンとの係合が外れ、スプリングに収縮力を保持した状態で牽引金具がガイド溝に係止され、扉を一定位置まで閉じると係合爪に係合ピンが係合するとともに牽引金具の係止が外れ、スプリングの収縮力により扉が閉鎖位置まで移動されるようになっている。さらに、牽引装置では、何らかの理由により一定位置まで移動するまでに係合爪から係合ピンが外れた場合には、扉を閉鎖位置まで閉じる操作を行うことで、牽引金具に対して係合爪を回動させて係合ピンに係合させることができ、正常な状態に復帰させることができるようになっている。
【０００３】
【特許文献１】特開２００３−５６２４５号公報
【発明の開示】
【発明が解決しようとする課題】
【０００４】
しかしながら、従来の自閉装置では、係合爪から外れた係合ピンを再度係合爪に係合させる復帰機能を実現するために、牽引金具および係合爪の２部材を互いに回動自在に連結し、かつ回動した係合爪を初期位置に戻すためにばね状の回避壁部を設ける必要があり、部品点数が増大するとともに装置の構造が複雑化してしまうという問題がある。さらに、装置の構造が複雑化することから、頻繁に開閉される面材における自閉動作や復帰動作の信頼性を確保するためには、装置各部の加工精度や組立精度を非常に高度化しなければならず、製造コストが増大してしまうという問題もある。
【０００５】
本発明の目的は、簡単な構造で確実に作動可能な自閉装置を備えた建具を提供することにある。
【課題を解決するための手段】
【０００６】
本発明の建具は、枠体と、この枠体にスライド開閉自在に支持された面材と、この面材を閉じさせる自閉装置とを備え、浴室出入り口に設けられる建具であって、前記枠体は、上枠、下枠、および左右の縦枠を四周枠組みして形成され、前記面材は、前記上枠のレールに摺動片が案内されるとともに、前記下枠のレールに戸車が案内されて左右スライド開閉自在に構成され、前記自閉装置は、前記枠体および面材のいずれか一方に設けられた自閉装置本体部と、この自閉装置本体部に係脱可能に当該枠体および面材の他方に設けられた被係合部とを有して構成され、前記上枠には、前記レールよりも浴室側に中空部が形成され、この中空部に前記自閉装置本体部が設けられ、前記面材の上端部に前記被係合部が設けられ、前記自閉装置本体部は、前記枠体または面材に沿った開閉方向にスライド移動自在に設けられたスライド体と、このスライド体を閉方向に向かって付勢する付勢手段とを有して構成され、前記スライド体は、前記被係合部に係合可能な第１係合部と、この第１係合部よりも開方向前方側に設けられて前記被係合部に係合可能な第２係合部と、前記枠体または面材に係止される被係止部とを有して形成されるとともに、少なくとも前記第１係合部と前記被係合部とが係合しかつ前記面材を閉鎖した状態の閉鎖位置と、この閉鎖位置から開方向に向かって所定距離だけ離れた待機位置との間をスライド移動可能に構成され、前記スライド体の待機位置に対応した前記枠体および面材の一方には、当該スライド体の前記被係止部を係止する待機係止部が設けられ、前記レールと対向して前記上枠の中空部を形成する側壁には、前記自閉装置本体部のスライド体を案内する案内溝が形成されるとともに、この案内溝から前記レール側に突出して前記第１係合部および第２係合部が配置され、前記案内溝における前記待機位置に対応した位置に当該案内溝を段付き状に拡大して前記待機係止部が形成され、前記面材の開放操作時において、前記第１係合部と前記被係合部との係合により前記付勢手段の付勢力に抗して前記スライド体が開方向に移動され、前記待機位置まで移動された当該スライド体の前記被係止部が前記待機係止部に係止されるとともに、前記第１係合部と前記被係合部との係合が外れ、前記付勢手段の付勢力を受けずに前記面材の開放操作が継続され、前記面材の閉鎖操作時において、前記待機位置にある前記スライド体の第１係合部に前記被係合部が係合するとともに、前記待機係止部による前記被係止部の係止が外れ、前記付勢手段の付勢力により閉方向に移動される前記スライド体に連動して前記面材が閉鎖され、前記面材が開放された状態で前記スライド体が前記待機位置になく前記閉鎖位置側に移動した状態からの復帰操作時において、前記面材の閉鎖操作により前記被係合部が前記第２係合部に係合され、前記面材の開放操作に連動して前記スライド体が前記付勢手段の付勢力に抗して開方向に移動され、前記待機位置まで移動された当該スライド体の前記被係止部が前記待機係止部に係止され、これに続く前記面材の閉鎖操作により前記被係合部が前記第１係合部に係合され、前記スライド体に連動して前記面材が閉鎖されることを特徴とする。
【０００７】
ここで、本発明の建具としては、引違い窓や片引き窓、上げ下げ窓等のサッシ窓であってもよく、引違い形式や片引き形式の引き戸、あるいは折れ戸であってもよい。そして、建具が引違い窓や引違い戸である場合には、一対（二枚）の障子を有したものでもよく、また三枚以上の障子を有したもの（例えば、三枚建ての窓や戸、四枚建ての窓や戸）でもよい。
【０００８】
以上の本発明によれば、通常の開閉操作時においては、スライド体の第１係合部と被係合部とが係合した状態で面材を開放操作することで、付勢手段の付勢力に抗してスライド体を待機位置までスライド移動させて付勢力を蓄えた状態で待機させるとともに、面材を閉鎖操作して待機したスライド体の第１係合部に被係合部が係合されることで、付勢手段の付勢力によってスライド体が閉鎖位置までスライドし、面材が自動的に閉じるようにできる。一方、何らかの理由によりスライド体の第１係合部に被係合部が係合しない状態で面材を開放操作したり、第１係合部が被係合部を係合しない状態で待機位置からスライド体が閉鎖位置側に戻ったりしてしまった場合には、復帰操作によってスライド体の第２係合部に被係合部を係合させてから、スライド体を待機位置までスライド移動させることで、自閉装置を通常の使用状態に復帰させることができる。そして、このような復帰機能は、スライド体の第１係合部よりも開方向前方に設けた第２係合部によって実現されるので、従来の自閉装置のように互いに回動自在に２部材を連結したり付勢する部材を設けたりする必要がなく、スライド体の構造を簡単化することができる。従って、簡単な構造の自閉装置によって確実に自閉動作や復帰動作を実行させることができ、自閉装置および建具の製造コストを低減させることができる。
【０００９】
この際、本発明の建具では、前記自閉装置本体部のスライド体は、前記閉鎖位置を閉方向に超えた超過閉鎖位置まで前記付勢手段に付勢されてスライド移動可能に構成され、この閉鎖超過位置において、前記第２係合部が前記被係合部と係合可能に構成されていることが好ましい。
【００１０】
このような構成によれば、スライド体が超過閉鎖位置まで付勢手段に付勢されてスライドすることで、第１係合部と被係合部とが係合した状態でスライド体が閉鎖位置までスライドして面材を閉じた際に、付勢手段の付勢力がスライド体に作用し続けるため、面材の閉鎖状態を良好に維持することができる。一方、第１係合部と被係合部とが係合しない状態でスライド体が閉鎖位置を超えて超過閉鎖位置まで移動してしまうと、面材が閉鎖状態以上にスライド不能なことから被係合部に第１係合部を係合させることができなくなるのであるが、第１係合部よりも開方向前方側に設けた第２係合部を被係合部に係合させることで、前述のように自閉装置を通常の使用状態に復帰させることができる。つまり、第１係合部と第２係合部との距離は、スライド体の閉鎖位置と超過閉鎖位置との距離よりも大きく設定されていればよい。
【００１１】
このような本願の構成および作用効果に対して、従来の自閉装置では、復帰操作において、面材を閉鎖位置まで閉じることで係合爪と係合ピンとを係合させるようになっているため、面材の閉鎖状態における係合ピンの位置と同一位置で牽引金具および係合爪が止まっていなければならず、そもそも、面材の閉鎖位置よりも閉方向に向かって付勢力を作用させることができないようになっている。このため、従来の自閉装置には、面材が閉じた状態においても付勢力を作用させ続けて、面材の閉鎖状態を良好に維持させることは期待できない。従って、本発明の第２の目的は、面材が閉じた状態においても確実に付勢力を作用させ続けて、面材の閉鎖状態を良好に維持させることが可能な自閉装置を提供することであり、本発明では、前述のようにスライド体が閉鎖位置を閉方向に超えた超過閉鎖位置まで付勢手段に付勢されてスライド移動可能に構成されていることで、第２の目的を達成することができる。そして、スライド体が超過閉鎖位置までスライドしても、第２係合部を第１係合部よりもスライド体の開方向前方に設けたことで、確実に復帰動作を実行させることができる。
【００１２】
さらに、本発明の建具では、前記待機位置にある状態において前記スライド体の第２係合部は、前記被係合部の通過軌道上から外れ、前記閉鎖位置側にある状態において前記第２係合部は、前記被係合部と係合可能に構成されていることが好ましい。
このような構成によれば、スライド体における第１係合部よりも開方向前方側に設けた第２係合部が待機位置において被係合部の通過軌道上から外れることで、面材の開閉操作の際に第２係合部が邪魔になることなく、円滑な操作性を実現することができる。一方、復帰操作時においては、閉鎖位置側にスライド体がある状態で第２係合部が被係合部と係合可能に構成したことで、復帰操作を円滑に実行することができる。この際、第２係合部の構造としては、復帰操作によって開方向前方側から近づいてくる被係合部を受け止めて係合するような形態や、被係合部により押圧されて撓んで被係合部を一旦通過させてから係合するような形態など、任意の構造が採用可能である。
【００１３】
また、本発明の建具では、前記自閉装置本体部には、前記スライド体の移動速度を抑制する減衰手段が設けられていることが好ましい。
ここで、減衰手段としては、各種のダンパー装置が利用可能であり、例えば、エアダンパーやオイルダンパー、摩擦ダンパーなどが利用できる。
このような構成によれば、第１係合部と被係合部とが係合した状態で付勢手段の付勢力によって自動的に面材を閉じる際に、減衰手段によってスライド体の移動速度を抑制することで、面材の閉鎖速度を緩やかにかつ所定速度に調整することができ、面材と枠体との間に指が挟まれたり、面材と枠体との衝突音が鳴ったりすることが防止できる。
【００１５】
さらに、枠体を構成する上枠の中空部に自閉装置本体部を設けるとともに、中空部を形成する側壁に設けた案内溝からスライド体の第１、第２係合部が突出するように自閉装置を構成したことで、浴室で使用する水が自閉装置本体部にかかったり結露水が付着したりしにくくでき、自閉装置の動作不良を防止でき、かつ耐久性を向上させることができる。また、第１、第２係合部を案内溝からレール側に向かって横向きに突出させるとともに、案内溝に形成した待機係止部にスライド体の被係止部が係止されるように構成したことで、スライド体の第１、第２係合部や被係止部に利用者の手が届きにくくできる。これにより、面材を開放した状態でスライド体の各部に利用者が意図せずに触れて待機係止部による被係止部の係止を外してしまって、スライド体を閉鎖位置側に移動させてしまうことが防止でき、頻繁に復帰操作を行う必要がなくなって建具の利便性を向上させることができる。
【００１６】
以上の本発明の建具に対し、従来の扉は物置や倉庫に設けられて上枠レールに戸車が案内される吊り下げ式のものであって、自閉装置が上枠レール上部の露出した位置に設けられている。このため、従来の自閉装置を浴室の出入り口に設けた場合には、浴室で使用する水が牽引金具や係合爪かかったり結露水が付着したりして、これらの可動部品の動作に悪影響を与えてしまうことが懸念される。さらに、従来の自閉装置では、扉を開放して牽引金具が待機位置にある状態において、係合爪が下方に突出した状態で露出しているため、利用者が誤って係合爪を閉方向に押してしまうと、ガイド溝による係止が外れてスプリングの付勢力によって牽引金具が閉鎖位置に戻るという事態が発生する可能性がある。このため、復帰操作を頻繁に行わなければならず、利便性が劣るとともに、可動部品の摩耗が起こりやすいという不都合もある。従って、本発明の第３の目的は、水がかかりやすい使用箇所にも適用可能で、かつ面材の開放状態において誤操作を防止することが可能な自閉装置を提供することであり、本発明では、前述のように上枠中空部に自閉装置本体部を配置するとともに、スライド体の第１、第２係合部を利用者の手が届きにくい位置に設けたことで、第３の目的を達成することができる。
【００１７】
この際、本発明の建具では、前記上枠の中空部は、当該上枠に対して着脱可能な面材で形成され、この面材に前記自閉装置本体部が取り付けられていることが好ましい。
ここで、着脱可能な面材としては、中空部の下面を構成する下面部や中空部の側面（レール側側面や浴室側側面）を構成する側面部であってもよく、すなわち上枠における浴室や脱衣室に露出した露出面を構成する面状の部材であれば、その位置や形態は限定されない。
このような構成によれば、上枠に対して着脱可能かつ中空部を形成する面材に自閉装置本体部を取り付けたので、上枠から面材を取り外せば、これとともに自閉装置本体部も取り外すことができ、自閉装置本体部の調整や部品交換、自閉装置本体部自体の交換など、自閉装置のメンテナンスを容易に実施することができる。
【００１８】
さらに、本発明の建具では、前記自閉装置本体部には、前記スライド体の移動速度を抑制する減衰手段が設けられており、前記上枠の中空部を形成する各面のうち下方空間に露出した露出面部には、前記減衰手段を調節するための調節孔と、この調節孔を塞ぐ閉塞部材とが設けられいることが好ましい。
このような構成によれば、減衰手段を有した自閉装置本体部を中空部の内部に設置していても、閉塞部材を取り外すことで調節孔を介して減衰手段を容易に調節することができ、メンテナンス性をさらに向上させることができる。
【発明を実施するための最良の形態】
【００１９】
以下、本発明の実施形態を図面に基づいて説明する。
図１は、本発明の実施形態に係る建具である浴室出入り口用建具１を示す縦断面図である。図２は、浴室出入り口用建具１を示す横断面図である。図３は、浴室出入り口用建具１の上枠１１部分を拡大して示す縦断面図である。図４は、上枠１１の一部を示す横断面図である。
図１および図２において、浴室出入り口用建具１は、ユニットバスからなる浴室への出入り口として脱衣室との間に設けられた片引き戸であって、枠体としての建具枠１０と、この建具枠１０にスライド開閉自在に支持された面材としての障子（戸）２０とを有して構成されている。
【００２０】
建具枠１０は、上枠１１、下枠１２、左右の縦枠１３，１４と、上枠１１および下枠１２間に架設された縦骨１５と、上枠１１、下枠１２、図２の右側の縦枠１４および縦骨１５で囲まれた内部に嵌め込まれたパネル１６とを有して構成されている。そして、建具枠１０は、上枠１１、下枠１２、および左右の縦枠１３，１４が、それぞれ建物内壁の下地材２や、床材３、出入り口開口部の額縁材４等に固定されるとともに、上枠１１、図２の左側の縦枠１３、および縦骨１５がユニットバスの内壁材５に接続され、下枠１２がユニットバスの床材６に接続されている。また、下枠１２の上面には、下枠１２の上端とユニットバスの床材６上面とを段差なく連結するためのスロープ部材７が取り付けられている。
【００２１】
上枠１１は、図３に示すように、それぞれアルミ形材製の上枠本体１１Ａと、この上枠本体１１Ａの浴室側に係合された浴室側部材１１Ｂと、上枠本体１１Ａに着脱可能に設けられた着脱部材（面材）１１Ｃとを有して構成されている。上枠本体１１Ａには、障子２０を案内するレール１１１が形成され、この上枠本体１１Ａが建物内壁の下地材２および額縁材４に固定されている。着脱部材１１Ｃは、浴室空間に露出した露出面である下面部１１２と、レール１１１の浴室側に対向する側壁部１１３と、側壁部１１３の上端から脱衣室側に延び上枠本体１１Ａにビス止め固定される固定片部１１４とを有して形成されている。この着脱部材１１Ｃの側壁部１１３の下端部脱衣室側には、障子２０の上框２１に当接する気密材１１５が設けられている。また、着脱部材１１Ｃの下面部１１２と浴室側部材１１Ｂとの間には、樹脂製の隙間部材１１６が介挿され、これにより下面部１１２および側壁部１１３と浴室側部材１１Ｂとで囲まれた上枠中空部１１７が、上枠１１におけるレール１１１よりも浴室側に形成されている。
一方、下枠１２には、上枠１１のレール１１１の下方である脱衣室側寄りの位置にレール１２１（図１）が形成されている。
【００２２】
障子２０は、上框２１、下框２２、および左右の縦框２３，２４（戸先框２３、戸尻框２４）を四周框組みした内部浴室側に、ポリカーボネート等の樹脂製パネル材２５を接着して構成されている。この障子２０の下框２２には戸車２２１が設けられ、縦框２３，２４の上端には摺動片２３１，２４１（図３）が設けられ、戸先框２３の脱衣室側および浴室側には各々一対の開閉操作用ハンドル２３２，２３３が設けられている。そして、障子２０は、戸車２２１が下枠１２のレール１２１に案内されるとともに、摺動片が上枠１１のレール１１１に案内されることで、建具枠１０のパネル１６の脱衣室側に沿って左右スライド開閉自在に構成され、次に説明する自閉装置３０によって所定位置から自動的に閉じられるようになっている。
【００２３】
以下、自閉装置３０について、図５〜図１２も参照して詳しく説明する。
図５は、自閉装置３０の一部を示す斜視図である。図６は、自閉装置３０を示す横断面図である。図７は、自閉装置３０を脱衣室側から見た縦断面図である。図８(Ａ)，(Ｂ)は、自閉装置３０の動作を脱衣室側から見た斜視図である。図９(Ａ)，(Ｂ)は、自閉装置３０の動作を浴室側から見た斜視図である。
【００２４】
自閉装置３０は、上枠１１の上枠中空部１１７に設けられた自閉装置本体部３１と、この自閉装置本体部３１に係脱可能に障子２０の上框２１に設けられた被係合部としての係合ピン３２とを有して構成されている。係合ピン３２は、上框２１に固定されたケース体３２１に上下進退自在に支持され、係合ピン３２の下端に固定された板材３２２とケース体３２１との間に設けられたばね３２３（図３、７参照）で上方に付勢されている。一方、自閉装置本体部３１は、上枠１１に沿った開閉方向（図６〜図８の右側が開方向、左側が閉方向、図９の左側が開方向、右側が閉方向）にスライド移動自在に設けられたスライド体３３と、このスライド体３３を閉方向に向かって付勢する付勢手段でありかつ減衰手段であるばね付きダンパー３４と、スライド体３３を上枠１１に沿って案内する摺動部材３５と有して構成されている。
【００２５】
スライド体３３は、図５に示すように、板状のスライド本体部３３１と、このスライド本体部３３１の側部に形成されて係合ピン３２に係合可能な第１係合部３３２と、この第１係合部３３２よりも開方向前方側（図５の右下方側）に設けられて係合ピン３２に係合可能な第２係合部３３３とを有して形成されている。スライド本体部３３１は、上枠１１の着脱部材１１Ｃにおける側壁部１１３に形成された案内溝１１３Ｃ（図７）に挿通され、一方側（図５の左下方側）を上枠中空部１１７からレール１１１側（脱衣室側）に突出させるとともに、案内溝１１３Ｃに案内されて左右スライド自在に支持されている。第１係合部３３２は、平面略半円形に凹んでレール１１１側かつ開方向前方側に開口して形成されている。第２係合部３３３は、スライド本体部３３１から開方向前方側に突出するアーム部３３４の先端側に形成された矢尻状部分に設けられており、この第２係合部３３３の前方には、傾斜面部３３５が形成されている。そして、アーム部３３４は、所定の剛性を有した薄板状の弾性部材とされており、傾斜面部３３５が開方向前方から係合ピン３２に押圧されることで、アーム部３３４が撓んで第２係合部３３３が浴室側に移動するように構成されている。
【００２６】
そして、スライド本体部３３１の上面には、上枠１１の着脱部材１１Ｃにおける側壁部１１３の脱衣室側側面に沿って案内される２つの突起３３６，３３７が形成されている。スライド体３３の開方向前方側に形成された突起３３７は、後述する待機位置において側壁部１１３の案内溝１１３Ｃに形成された待機係止部１１３Ｂ（後述）に係止されるようになっており、すなわち突起３３７によって被係止部が構成されている。また、上枠中空部１１７内に位置するスライド本体部３３１の他方側（図５の右上方側）には、ばね付きダンパー３４に連結される連結孔３３８が形成され、この連結孔３３８と偏心したスライド本体部３３１の略中央位置には、摺動部材３５に連結される連結ピン３３９が設けられている。従って、連結孔３３８位置を閉方向に付勢されたスライド体３３には、連結ピン３３９を中心として開方向前方側（第２係合部３３３の側）が浴室側に回動するような回転モーメントが作用するようになっている。
【００２７】
ばね付きダンパー３４は、図６に示すように、上枠１１の着脱部材１１Ｃに固定されたシリンダ３４１と、連結具３４２を介してスライド本体部３３１の連結孔３３８に連結されたピストンロッド３４３と、シリンダ３４１内部に設けられたスプリング３４５とを有して構成されている。このばね付きダンパー３４は、ピストンロッド３４３に固定されてシリンダ内周面に密接するパッキン３４６を有したエアダンパーであり、ピストンロッド３４３の進退によってパッキン３４６で圧縮されたシリンダ３４１内のエアを調整弁（不図示）から排出する、またはシリンダ３４１内が減圧されて調整弁からエアを吸入することで、エアの排出または吸入抵抗により減衰力を発生し、ピストンロッド３４３の進退速度、すなわちスライド体３３のスライド移動速度を適宜に抑制できるようになっている。そして、ばね付きダンパー３４の減衰力は、図３に示すような減衰力調節ねじ３４７を回転させることで調節可能になっており、この減衰力調節ねじ３４７の下方における着脱部材１１Ｃの下面部１１２には、調節孔（不図示）と、この調節孔を塞ぐ閉塞部材としてのキャップ１１９とが設けられている。また、スプリング３４５は、シリンダ３４１とパッキン３４６部分とに連結されてピストンロッド３４３をシリンダ３４１内部側に引っ張るばねであり、このスプリング３４５の付勢力によりスライド体３３が閉方向に付勢されるようになっている。
一方、摺動部材３５は、上枠１１の着脱部材１１Ｃにおける側壁部１１３および固定片部１１４と、これらの側壁部１１３および固定片部１１４から突出した突片とによって案内され、スライド体３３を着脱部材１１Ｃに沿って適切にスライドさせるためのスライド補助部材である。
【００２８】
以上のようなスライド体３３は、第１係合部３３２に係合ピン３２が係合した状態における障子２０の開放操作に伴って開方向にスライド移動され、所定位置である待機位置（図６、図７および図８(Ｂ)、図９(Ｂ)の位置）まで移動したところで、突起３３７が上枠１１の着脱部材１１Ｃにおける側壁部１１３の待機係止部１１３Ｂに係止されるようになっている。すなわち、着脱部材１１Ｃの側壁部１１３には、スライド体３３のスライド本体部３３１を挿通可能な案内溝１１３Ｃが上枠１１の長手方向に延びて形成されており、この案内溝１１３Ｃは、スライド体３３の待機位置に対応した部分で上方に段付き状に拡大された拡大部を有し、この拡大部分によって待機係止部１１３Ｂが構成されている。そして、待機位置までスライド移動されたスライド体３３は、突起３３７が拡大部に入ることで側壁部１１３による規制が外れて浴室側に回動し（図６の想像線および図８(Ｂ)、図９(Ｂ)に示す）、突起３３７が待機係止部１１３Ｂに係止されるとともに、第１係合部３３２による係合ピン３２の係合が外れるようになっている。さらに、スライド体３３の回動によって、第２係合部３３３は、着脱部材１１Ｃの側壁部１１３側（案内溝１１３Ｃの拡大部側）に回動して移動し、係合ピン３２の通過経路上から退避するようになっている。
【００２９】
次に、自閉装置３０の動作について図１０および図１１に基づいて説明する。
ここで、図１０(Ａ)〜(Ｃ)は、自閉装置３０における通常の動作を示す平面図である。図１１(Ａ)〜(Ｄ)は、自閉装置３０における復帰動作を示す平面図であり、障子２０が開放された状態でスライド体３３が待機位置にない異常状態からの復帰操作を説明する図である。
先ず、通常使用状態における障子２０の開閉操作に関し、図１０(Ａ)には、障子２０（不図示）を閉じた状態が示され、この閉じた障子２０に固定された係合ピン３２とスライド体３３の第１係合部３３２とが係合した状態、すなわちスライド体３３が閉鎖位置Ｐ１にある状態が示されている。
【００３０】
図１０(Ａ)の状態から障子２０を開放操作する、すなわち係合ピン３２を図の右方向に移動させると、図１０(Ｂ)に示すように、係合ピン３２と第１係合部３３２で係合したスライド体３３が、ばね付きダンパー３４の付勢力に抗して開方向にスライド移動される。この際、スライド体３３は、摺動部材３５に案内されるとともに、突起３３６，３３７が着脱部材１１Ｃの側壁部１１３に摺接して案内されることで、回動することなくスライドし、これにより、係合ピン３２が第１係合部３３２から外れないようになっている。すなわち、第１係合部３３２前方のスライド本体部３３１側面と着脱部材１１Ｃの側壁部１１３に対向する垂下片１１８（図８参照）との隙間寸法は、係合ピン３２の直径寸法よりも小さく設定されており、スライド体３３が回動しなければ係合ピン３２が第１係合部３３２から外れることがないようになっている。
【００３１】
次に、図１０(Ｃ)に示すように、スライド体３３が待機位置Ｐ２まで移動される、すなわち、突起３３７が案内溝１１３Ｃの拡大部まで達すると、スライド体３３の開方向前方側が浴室側（図の矢印の方向）に回動して突起３３７が待機係止部１１３Ｂに係止される。これにより、スライド体３３は、ばね付きダンパー３４の付勢力を保持した状態で、待機位置Ｐ２に位置するとともに、回動したスライド体３３の第１係合部３３２から係合ピン３２が外れ、障子２０の開放操作が継続される。
また、障子２０の閉鎖操作時において、図１０(Ｃ)の状態から係合ピン３２が図の左方向に移動されると、待機位置Ｐ２で待機していたスライド体３３の第１係合部３３２に係合ピン３２が係合され、これに伴いスライド体３３が図１０(Ｃ)の矢印と反対方向に回動し、待機係止部１１３Ｂによる突起３３７の係止が外れる。従って、障子２０の閉鎖操作を中止しても、ばね付きダンパー３４の付勢力によってスライド体３３が図１０(Ａ)に示す閉鎖位置Ｐ１まで引き戻され、障子２０が自動的に閉じる。この際、ばね付きダンパー３４のシリンダ３４１、パッキン３４６および調整弁により得られる減衰力によって、障子２０の閉鎖速度が適宜に抑制される。
【００３２】
次に、自閉装置３０における異常状態からの復帰操作に関し、図１１(Ａ)には、障子２０（不図示）を開放した状態において、スライド体３３が待機位置Ｐ２にない異常状態が示されている。このような異常状態は、何らかの原因により、待機位置Ｐ２にあったスライド体３３の突起３３７が待機係止部１１３Ｂから外れてスライド体３３単独で引き戻されたか、または障子２０を開放操作する際にスライド体３３の第１係合部３３２から係合ピン３２が外れてしまった場合に起きることが考えられる。そして、異常状態においては、第１係合部３３２と係合ピン３２とが係合していないことから、スライド体３３は、閉鎖位置Ｐ１よりも閉方向に移動した超過閉鎖位置Ｐ０までばね付きダンパー３４の付勢力によって引き戻されるようになっている。この超過閉鎖位置Ｐ０と閉鎖位置Ｐ１との離隔寸法は、スライド体３３における第１係合部３３２と第２係合部３３３との離隔寸法よりも小さく設定されており、スライド体３３が超過閉鎖位置Ｐ０にある状態においても、第２係合部３３３は、障子２０を閉鎖したときの係合ピン３２の位置（閉鎖位置Ｐ１における第１係合部３３２の位置）よりも開方向側に位置するようになっている。
【００３３】
以上のような異常状態からの復帰操作としては、先ず、障子２０を閉鎖操作する、すなわち係合ピン３２を図の左方向に移動させると、図１１(Ｂ)に示すように、係合ピン３２がスライド体３３の傾斜面部３３５に当接してアーム部３３４を撓ませ、これにより第２係合部３３３が浴室側に移動する。そして、係合ピン３２が第２係合部３３３よりも閉方向側（図中、左側）に移動されると、アーム部３３４の弾性で第２係合部３３３が脱衣室側に戻る。そして、係合ピン３２を第２係合部３３３よりも閉方向側に移動させてから、障子２０を開放操作することで第２係合部３３３と係合ピン３２とが係合するようになっている。
このように第２係合部３３３を係合ピン３２に係合させてから、図１１(Ｃ)に示すように、障子２０を開放操作する、すなわち係合ピン３２を図の右方向に移動させると、スライド体３３が、ばね付きダンパー３４の付勢力に抗して開方向にスライド移動される。
そして、図１１(Ｄ)に示すように、スライド体３３が待機位置Ｐ２まで移動されると、スライド体３３が回動して突起３３７が待機係止部１１３Ｂに係止され、スライド体３３が待機位置Ｐ２に維持されるとともに、第２係合部３３３から係合ピン３２が外れ、障子２０の開放操作が継続される。この状態は、通常使用時の障子２０の開放状態と同一であり、この後に障子２０を閉鎖操作すれば、前述と同様にスライド体３３の第１係合部３３２に係合ピン３２が係合され、ばね付きダンパー３４の付勢力によって障子２０を自動的に閉じさせることができる。
【００３４】
次に、自閉装置３０のメンテナンス手順について図１２および図１３に基づいて説明する。
図１２(Ａ)〜(Ｃ)および図１３(Ａ)〜(Ｃ)は、それぞれ自閉装置３０のメンテナンス手順を説明する図である。
自閉装置３０の自閉装置本体部３１は、上枠１１を構成する着脱部材１１Ｃに固定されており、この着脱部材１１Ｃを上枠本体１１Ａおよび浴室側部材１１Ｂから取り外すことで、着脱部材１１Ｃとともに取り外して調整や部品交換、自閉装置本体部３１自体の交換が可能になっている。
【００３５】
すなわち、先ず、図１２(Ａ)のように、上枠１１に支持された状態から障子２０を建具枠１０から取り外すか、開放側に移動させる。これに続いて、図１２(Ｂ)に示すように、上枠１１に取り付けられた状態から隙間部材１１６を取り外すとともに、着脱部材１１Ｃの固定片部１１４を上枠本体１１Ａに固定していたビスを外してから、着脱部材１１Ｃを浴室側にスライドさせる。そして、着脱部材１１Ｃの下面部１１２が縦枠１３の気密材１３１よりも浴室側に位置するまで着脱部材１１Ｃをスライドさせてから、図１２(Ｃ)に示すように、着脱部材１１Ｃを下方に下げる。
これに続いて、着脱部材１１Ｃの下面部１１２が浴室側部材１１Ｂの下面部よりも下方まで下がってから、図１３(Ａ)に示すように、再度、着脱部材１１Ｃを浴室側にスライドさせる。次に、着脱部材１１Ｃの気密材１１５が縦枠１３の気密材１３１よりも浴室側に位置するまで着脱部材１１Ｃをスライドさせてから、図１３(Ｂ)に示すように、再度、着脱部材１１Ｃを下方に下げる。そして、着脱部材１１Ｃの固定片部１１４が縦枠１３の気密材１３１上端部に位置するまで下げてから、図１３(Ｃ)に示すように、回転させながら浴室側下方に着脱部材１１Ｃを引き抜く。
【００３６】
以上によって着脱部材１１Ｃとともに自閉装置３０が上枠１１から取り外され、作業のしやすい場所で自閉装置３０のメンテナンスを実行することができる。そして、メンテナンス終了後には、上述の手順と逆の手順で着脱部材１１Ｃとともに自閉装置３０を上枠１１に取り付ければよい。
【００３７】
このような本実施形態によれば、以下のような効果がある。
（１）すなわち、障子２０の通常開閉操作時においては、スライド体３３の第１係合部３３２に係合ピン３２が係合されてばね付きダンパー３４の付勢力によって障子２０が自動的に閉じるようにできる。一方、異常状態になった場合には、復帰操作によってスライド体３３の第２係合部３３３に係合ピン３２を係合させてから、スライド体３３を待機位置Ｐ２までスライド移動させることで、自閉装置３０を通常の使用状態に復帰させることができる。このような復帰機能は、スライド体３３の第１係合部３３２よりも開方向前方に突出して設けた第２係合部３３３によって実現されるので、従来のような複雑な構造にする必要がなく、スライド体３３の構造を簡単化することができ、自閉装置３０および浴室出入り口用建具１の製造コストを低減させることができる。
【００３８】
（２）また、スライド体３３が超過閉鎖位置Ｐ０までスライドするように構成されているので、通常の閉鎖状態において、ばね付きダンパー３４の付勢力がスライド体３３に作用し続けるため、障子２０の閉鎖状態を良好に維持することができる。一方、異常状態においてスライド体３３が超過閉鎖位置Ｐ０まで移動してしまっても、第２係合部３３３が閉鎖位置Ｐ１よりも開方向前方側に位置しているので、この第２係合部３３３を係合ピン３２に係合させて確実に復帰動作が実行できる。
【００３９】
（３）さらに、復帰操作時において、第２係合部３３３の基端側であるアーム部３３４が撓んで係合ピン３２を第２係合部３３３よりも閉方向に通過させてから、アーム部３３４の弾性で第２係合部３３３が初期位置に戻って係合ピン３２と係合するようになっているので、第２係合部３３３を回動自在に支持するような構造にする必要がなく、スライド体３３の構造をさらに簡単にすることができる。
【００４０】
（４）また、ばね付きダンパー３４が減衰力を発揮するエアダンパーとして機能することで、このばね付きダンパー３４の付勢力によって自動的に障子２０を閉じる際に、スライド体３３の移動速度を抑制することで、障子２０の閉鎖速度を緩やかに調整することができ、障子２０と建具枠１０との間に指が挟まれたり、障子２０と建具枠１０との衝突音が鳴ったりすることが防止できる。
【００４１】
（５）また、上枠１１の上枠中空部１１７に自閉装置本体部３１が設けられ、上枠中空部１１７を形成する着脱部材１１Ｃの側壁部１１３に設けた案内溝１１３Ｃからスライド体３３が突出して設けられているので、浴室で使用する水が自閉装置本体部３１にかかったり結露水が付着したりしにくくでき、自閉装置３０の動作不良を防止でき、かつ耐久性を向上させることができる。
【００４２】
（６）さらに、スライド体３３の第１および第２係合部３３２，３３３が案内溝１１３Ｃから上枠１１のレール１１１側に向かって横向きに突出しているので、第１および第２係合部３３２，３３３に利用者の手が届きにくくでき、これらの部位に利用者が触れて待機位置Ｐ２におけるスライド体３３の係止を解除してしまうような誤操作が防止でき、頻繁に復帰操作を行う必要がなくなって利便性を向上させることができる。
【００４３】
（７）また、自閉装置３０の自閉装置本体部３１が上枠１１を構成する着脱部材１１Ｃに固定され、この着脱部材１１Ｃとともに上枠１１から取り外すことができるので、自閉装置本体部３１の調整や部品交換、自閉装置本体部３１自体の交換など、自閉装置３０のメンテナンスを容易に実施することができる。
【００４４】
（８）さらに、着脱部材１１Ｃの下面部１１２には、ばね付きダンパー３４の減衰力調節ねじ３４７に対応して調節孔およびキャップ１１９が設けられているので、キャップ１１９を取り外すことで調節孔を介してばね付きダンパー３４の減衰力を容易に調節することができ、メンテナンス性をさらに向上させることができる。
【００４５】
なお、本発明は、前記実施形態に限定されるものではなく、本発明の目的を達成できる他の構成等を含み、以下に示すような変形等も本発明に含まれる。
例えば、前記実施形態においては、片引き形式の浴室出入り口用建具１に自閉装置３０を設けた例を示したが、本発明の建具はこのような浴室出入り口用建具１に限られず、玄関用の引き戸や、屋内居室用の引き戸、倉庫用の引き戸であってもよく、また、片引き戸以外の両引き戸や、三枚引き戸、折れ戸等であってもよい。さらに、出入り口用の戸に限らず、引違い窓や片引き窓、上げ下げ窓等の各種のサッシ窓であってもよい。
【００４６】
また、前記実施形態では、自閉装置３０の自閉装置本体部３１を枠体を構成する上枠１１に設け、被係合部である係合ピン３２を面材である障子２０の上框２１に設けたが、これに限らず、自閉装置本体部を面材側に設け、被係合部を枠体側に設けてもよい。この場合には、面材の開放方向または閉鎖方向と、自閉装置本体部のスライド体の開方向または閉方向とが逆向きとなる場合もあり得るが、その場合には、面材を自動で閉じさせるときの面材に対するスライド体の移動方向を閉方向とし、面材の開放時に付勢手段の付勢力に抗してスライド体が面材に対して移動される方向を開方向として定義すればよい。
【００４７】
また、前記実施形態では、自閉装置本体部３１を上枠１１の上枠中空部１１７に設けたが、自閉装置本体部３１を上枠１１の脱衣室側、すなわち上枠本体１１Ａにおける額縁材４への固定片部の下側等に設け、係合ピン３２を障子２０の上框２１における脱衣室側側面から突出させて設けてもよい。具体的には、次の図１４に示すように、上枠本体１１Ａの脱衣室側に形成した側壁部１１３と、この側壁部１１３の上端から脱衣室側に延びて額縁材４に固定される固定片部１１４Ａとを有して上枠本体１１Ａを形成し、側壁部１１３の脱衣室側でかつ固定片部１１４Ａの下側に自閉装置本体部３１を取り付ける構成が採用可能である。そして、自閉装置本体部３１のスライド体３３は、側壁部１１３に形成した案内溝（不図示）を介して浴室側に突出し、障子２０の上框２１に設けた係合ピン３２に係合可能に構成されていればよい。このような構成によれば、自閉装置本体部３１を障子２０よりも脱衣室側に設けたことで、自閉装置本体部３１に水がかかりにくくすることができる。
ただし、自閉装置本体部３１の設置位置としては、建具の外観上目立たない前記上枠中空部１１７が望ましく、また、自閉装置本体部３１を脱衣室側に設置する場合でも、図１４における上枠本体１１Ａの固定片部１１４Ａと額縁材４との間に中空部を形成し、この中空部に自閉装置本体部３１を設けることが好ましい。
【００４８】
また、前記実施形態では、上枠１１を構成する着脱部材１１Ｃに自閉装置本体部３１を固定し、着脱部材１１Ｃとともに上枠１１から取り外す、または上枠１１に取り付けられるように構成したが、上枠１１の構成および自閉装置本体部３１の取付構造としては、次の図１５に示すものが採用可能である。
すなわち、図１５において、上枠１１は、前記実施形態と同様の上枠本体１１Ａおよび浴室側部材１１Ｂと、上枠本体１１Ａに自閉装置本体部３１を固定する固定部材１１Ｄと、自閉装置本体部３１の下方を覆って上枠中空部１１７を形成する下面部材１１Ｅとを有して構成されている。そして、固定部材１１Ｄに側壁部１１３が形成され、固定部材１１Ｄの下側に気密材１１５が取り付けられている。このような構成の上枠１１では、先ず、下面部材１１Ｅを上枠本体１１Ａおよび浴室側部材１１Ｂから取り外した後に、固定部材１１Ｄを上枠本体１１Ａから取り外すことで、この固定部材１１Ｄとともに自閉装置本体部３１が着脱できるようになっている。
【００４９】
また、前記実施形態では、スライド体３３が待機位置Ｐ２まで移動された際にスライド体３３の開方向前方側が浴室側に回動して突起３３７が待機係止部１１３Ｂに係止されるように構成したが、スライド体３３を係止する構造としては、スライド体３３の開方向前方側が脱衣室側に回動するものや、上方または下方に回動するものでもよく、さらには、スライド体３３が回動しない構造でもよい。スライド体が回動せずに待機係止部に係止される構造とする場合には、スライド体または待機係止部の一方に板ばね等の弾性部材を設けておき、スライド体が待機位置までスライドされたときに他方と係止するような構造など、任意の係止構造が採用可能である。
また、前記実施形態では、復帰操作時において、係合ピン３２がスライド体３３の傾斜面部３３５に当接してアーム部３３４を撓ませることで、係合ピン３２と第２係合部３３３とが係合するような構造としたが、第２係合部の構造としては、復帰操作によって開方向前方側から近づいてくる係合ピン３２を受け止めて係合するような形態であってもよい。
【００５０】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５１】
【図１】本発明の実施形態に係る建具を示す縦断面図である。
【図２】前記建具を示す横断面図である。
【図３】前記建具の上枠部分を拡大して示す縦断面図である。
【図４】前記上枠の一部を示す横断面図である。
【図５】前記建具に設けられた自閉装置の一部を示す斜視図である。
【図６】前記自閉装置を示す横断面図である。
【図７】前記自閉装置を一方側から見た縦断面図である。
【図８】(Ａ)，(Ｂ)は、前記自閉装置の動作を一方側から見た斜視図である。
【図９】(Ａ)，(Ｂ)は、前記自閉装置の動作を他方側から見た斜視図である。
【図１０】(Ａ)〜(Ｃ)は、前記自閉装置における通常の動作を示す平面図である。
【図１１】(Ａ)〜(Ｄ)は、前記自閉装置における復帰動作を示す平面図である。
【図１２】(Ａ)〜(Ｃ)は、前記自閉装置のメンテナンス手順を説明する図である。
【図１３】(Ａ)〜(Ｃ)は、前記自閉装置のメンテナンス手順を説明する図である。
【図１４】本発明の変形例に係る上枠および自閉装置の構成を示す縦断面図である。
【図１５】本発明の変形例に係る上枠および自閉装置の構成を示す縦断面図である。
【符号の説明】
【００５２】
１０…枠体である建具枠、１１…上枠、１１Ｃ…面材である着脱部材、１２…下枠、１１３，１４…縦枠、２０…面材である障子、３０…自閉装置、３１…自閉装置本体部、３２…被係合部である係合ピン、３３…スライド体、３４…付勢手段および減衰手段であるばね付きダンパー、１１１，１２１…レール、１１２…下面部、１１３…側壁部、１１３Ｃ…案内溝、１１３Ｂ…待機係止部、１１７…上枠中空部、１１９…閉塞部材であるキャップ、３３２…第１係合部、３３３…第２係合部、３３７…被係止部である突起。
【図１】
0004573764.tif 000002
【図２】
0004573764.tif 000003
【図３】
0004573764.tif 000004
【図４】
0004573764.tif 000005
【図５】
0004573764.tif 000006
【図６】
0004573764.tif 000007
【図７】
0004573764.tif 000008
【図８】
0004573764.tif 000009
【図９】
0004573764.tif 000010
【図１０】
0004573764.tif 000011
【図１１】
0004573764.tif 000012
【図１２】
0004573764.tif 000013
【図１３】
0004573764.tif 000014
【図１４】
0004573764.tif 000015
【図１５】
0004573764.tif 000016